(57)【要約】      （修正有）【課題】幼児が描いた絵や文字をモチーフとした図案を布製品に刺繍し、独創性のある図案の刺繍がされた種々の布製品または紙製品を簡易に作成し得るシステムを提供する。【解決手段】幼児の描いた絵または文字を読み込む幼児図形取得部１０３と、幼児図形取得部が読み込んだ幼児図形を刺繍する対象に合わせて編集する幼児図形編集部１０４と、幼児の描いた幼児図形１０２と前記幼児図形編集部が編集した後の前記幼児図データを格納する幼児図形データ格納部１０５と、幼児図形編集部が編集した後の図案を、刺繍をする装置が使用し得る様式のデータに変換する刺繍図案データ作成部１０６と、刺繍部１０７と、を有して幼児の描いた絵や文字をモチーフとした図案が刺繍された布製品または紙製品を作成する。【選択図】図１
0003152475.tif 000002
【実用新案登録請求の範囲】
【請求項１】
幼児の描いた絵および／または文字（以下「幼児図形」ともいう）を読み込む幼児図形取得部と、
前記幼児図形取得部が読み込んだ前記幼児図形を刺繍する対象に合わせて編集する幼児図形編集部と、
前記幼児図形と前記幼児図形編集部が編集した後の図形データを格納する幼児図形データ格納部と、
前記幼児図形編集部が編集した後の図形を、刺繍をする装置が使用し得る様式のデータに変換する刺繍図案データ作成部と、布または紙等の刺繍可能な素材に刺繍をする刺繍部と、を有して、幼児の描いた絵および／または文字をモチーフとした図案を布または紙等の刺繍可能な素材に刺繍することを特徴とする幼児図形刺繍システム。
【考案の詳細な説明】
【技術分野】
【０００１】
本考案は、幼児が描いた絵や文字をモチーフとした図案を、布または紙等の刺繍可能な素材に刺繍するシステムに関する。
【背景技術】
【０００２】
幼児がなんらの先入観や経験も無く描いた絵や文字には、意外な独創性がある場合がある。
また、これらの絵や文字は幼児の親にとっては、幼児が成長したときには良い思い出となる場合が多い。
【０００３】
しかしながら、これらの絵や文字は、耐久性の無い紙に描かれている場合が多く、通常、いつの間にか、消滅させてしまう場合が多い。
【０００４】
そこで考案者は、幼児が描いた絵や文字をモチーフとした図案を、布または紙等の刺繍可能な素材に刺繍し得るシステムを考案した。その結果、幼児が創作した独創性のある絵または文字をモチーフとした図案の刺繍を有する身近な布製品や紙製品を効率良く完成させることができる。
【先行技術文献】
【特許文献】
【０００５】
【特許文献１】特開２００１−９６０８５
【考案の概要】
【考案が解決しようとする課題】
【０００６】
本考案は、幼児が描いた絵や文字をモチーフとした図案を布または紙等の刺繍可能な素材に刺繍し得るシステムにより、幼児が創作した独創性のある絵または文字をモチーフとした図案の刺繍を有する身近な布製品や紙製品を効率良く提供することを目的とする。
【課題を解決するための手段】
【０００７】
請求項１に記載された考案は、幼児の描いた絵および／または文字をモチーフとした図案を布または紙等の刺繍可能な素材に刺繍することを特徴とする幼児図形刺繍システムであって、
幼児の描いた絵または文字（以下「幼児図形」ともいう）を読み込む幼児図形取得部と、
前記幼児図形取得部が読み込んだ前記幼児図形を刺繍する対象に合わせて編集する幼児図形編集部と、
前記幼児図形と前記幼児図形編集部が編集した後の図形データを格納する幼児図形データ格納部と、
前記幼児図形編集部が編集した後の図形を、刺繍をする装置が使用し得る様式のデータに変換する刺繍図案データ作成部と、布または紙等の刺繍可能な素材に刺繍をする刺繍部と、を有して幼児の描いた絵および／または文字をモチーフとした図案を布または紙等の刺繍可能な素材に刺繍することを特徴とする。
【考案の効果】
【０００８】
本考案に係る幼児図形刺繍システムによれば、幼児が何の先入観も無く無邪気に描いた絵や文字を利用して、独創的な図案が刺繍された種々の布製品または紙製品を作成できる。また、幼児の親にとってはわが子の思い出を喚起する絵や文字が刺繍された布製品または紙製品を身近な布製品として使用したり、思い出の品として保管もできる。
【図面の簡単な説明】
【０００９】
【図１】本考案に係る幼児図形刺繍システムの概略を示す、ブロック図である。
【図２】幼児が描いた、絵や文字である。
【図３】図２の絵や文字を幼児図形取得部１０３で読み取り、幼児図形編集部１０４で布製の手提げ袋に適するように編集し、刺繍した布製の手提げ袋である。
【考案を実施するための形態】
【００１０】
図１は本考案に係る幼児図形刺繍システムの概略を示す、ブロック図である。
図２は幼児が描いた、絵と文字である。
図３は図２の絵と文字を読み込む幼児図形取得部１０３で読み取り、幼児図形編集部１０４で布製の手提げ袋に適するように編集し、刺繍した布製の手提げ袋である。
【００１１】
図１において１０２は幼児が描いた図形であり、１０３は
幼児が描いた図形１０２を読み込む幼児図形取得部であり、１０４は幼児図形取得部１０３が読み込んだ幼児図形を編集して、刺繍がされる布製品に適した図案にする幼児図形編集部である。１０５は幼児図形取得部１０３が取得した図形データおよび幼児図形編集部１０４が編集した後のデータを格納する幼児図形データ格納部である。
【００１２】
幼児が描いた幼児図形１０２は通常、単なる紙切れや、新聞紙、広告の裏等に描かれ、磨耗・喪失し易い素材に描かれている場合が多い。幼児図形取得部１０３は磨耗・喪失し易い素材に描かれている幼児が描いた図形１０２を読み取る。具体的には、公知のスキャナーである。ただし、デジタルカメラ等であってもよい。幼児図形編集部は幼児が描いた図形１０２を刺繍する対象に適した図案に編集する。１０６は幼児図形取得部１０３が読み取り、幼児図形編集部１０４が編集した図形データを刺繍するのに適した形式に変換・作成する刺繍図案データ作成部である。通常、幼児図形編集部１０４、刺繍図案データ作成部１０６、および幼児図形データ格納部１０５はパソコンとパソコンに格納されたソフトウエアーにより構成される。なお、幼児図形データ格納部１０５はパソコンに内蔵された記憶装置であっても、外部からパソコンに接続する外部記憶装置であっても、さらには、ＣＤ等の記憶メディアであっても良い。
【００１３】
次に１０７は刺繍部であり、例えば、特定の形式のデータに基づいて刺繍をする公知のミシンである。本考案においてはミシン自体に特徴は無く公知のミシンでよいので、説明は省略する。刺繍部１０７は布製の完成品（例えばハンカチ）に直接刺繍してもよいし、完成品の一部となる布または紙（以下「部分刺繍布」ともいう）に刺繍をしてもよい。後者の場合には部分刺繍布または部分刺繍紙を加工して布製品または紙製品を完成する。
【００１４】
図３は図２の絵と文字を幼児図形取得部１０３で読み取り、幼児図形編集部１０４で布製の手提げ袋に適するように編集し、前記部分刺繍布を加工した布製の手提げ袋である。
【００１５】
ただし、図３に図示された手提げ袋は布製品の例示であり、ハンカチ等の刺繍が可能な布製品であれば直接布製品に刺繍しても良い。また、刺繍がされた布または紙を素材として布製品または紙製品を完成しても良い。
【００１６】
さらに、必要に応じて幼児図形データ格納部１０５に格納された幼児図形取得部１０３が取得した図形データおよび／または幼児図形編集部１０４が編集した後のデータを、そのままの図案で繰り返して使用することも、または編集して、同じ布製品や異なる布製品に刺繍して、より美感またはオリジナリティにあふれた刺繍がされた布製品を作成することが可能である。
【産業上の利用可能性】
【００１７】
本考案に係る幼児図形刺繍システムによれば、幼児が何の先入観も無く無邪気に描いた絵や文字を利用して、独創的な図案が刺繍された種々の布製品または紙製品を作成できる。
【符号の説明】
【００１８】
１０２      幼児が描いた幼児図形
１０３      幼児図形取得部
１０４      幼児図形編集部
１０５      幼児図形データ格納部
１０６      刺繍図案データ作成部
１０７      刺繍部
【図１】
0003152475.tif 000003
【図２】
0003152475.tif 000004
【図３】
0003152475.tif 000005